(57)【要約】バックライトをより有効かつ効果的に利用し得る液晶表示装置及び当該液晶表示装置を備える携帯端末装置を提供する。  液晶表示装置の液晶パネル６は、カラー表示を行う第１表示領域と、白黒表示を行う第２表示領域とを含み、両領域が一体になって液晶パネルが形成される。第１表示領域は、カラーフィルタ６３及びブラックマトリクス６７を含むが、第２表示領域は、カラーフィルタ６３及びブラックマトリクス６７を含まない。【特許請求の範囲】
【請求項１】
カラー表示を行う第１表示領域と、白黒表示を行う第２表示領域とを含み、両領域が一体になって形成された液晶パネルと、
前記第１表示領域と前記第２表示領域の表示動作を制御する表示制御部と、
を備える液晶表示装置。
【請求項２】
請求項１記載の液晶表示装置であって、
前記第１表示領域は、カラーフィルタ及びブラックマトリクスを含み、
前記第２表示領域は、前記カラーフィルタ及び前記ブラックマトリクスを含まない、液晶表示装置。
【請求項３】
請求項１又は２項記載の液晶表示装置であって、
前記カラーフィルタ及び前記ブラックマトリックス以外の他の構成要素が、前記第１表示領域と前記第２表示領域の間で共通に使用されている、液晶表示装置。
【請求項４】
第１のカラーフィルタを備える第１表示領域と、色濃度が前記第１のカラーフィルタよりも小さい第２のカラーフィルタを備える第２表示領域とを含み、両領域が一体になって形成された液晶パネルと、
前記第１表示領域と前記第２表示領域の表示動作を制御する表示制御部と、
を備える液晶表示装置。
【請求項５】
請求項４記載の液晶表示装置であって、
前記第１のカラーフィルタ及び前記第２のカラーフィルタ以外の他の構成要素が、前記第１表示領域と前記第２表示領域の間で共通に使用されている、液晶表示装置。
【請求項６】
請求項１ないし５のいずれか１項記載の液晶表示装置であって、
前記液晶パネルは、前記第１表示領域と前記第２表示領域にわたって形成されたＴＦＴを含む、液晶表示装置。
【請求項７】
請求項６記載の液晶表示装置であって、
前記表示制御部が、前記ＴＦＴにおける、前記第２表示領域に対応した部分のみを独立して制御する、液晶表示装置。
【請求項８】
請求項１ないし７のいずれか１項記載の液晶表示装置であって、
前記第１の表示領域における１画素のサイズと、前記第２の表示領域における１画素のサイズが異なる、液晶表示装置。
【請求項９】
請求項１ないし８のいずれか１項記載の液晶表示装置であって、
前記第２表示領域が、前記液晶パネルの周縁の少なくとも一部に形成されている、液晶表示装置。
【請求項１０】
請求項１ないし９のいずれか１項記載の液晶表示装置を含む携帯端末装置。
【請求項１１】
請求項１０記載の携帯端末装置であって、
当該携帯端末装置は、外部から参照情報を取得する無線部を有し、
前記第２表示領域に取得した参照情報を表示可能な、携帯端末装置。
【請求項１２】
請求項１０記載の携帯端末装置であって、
当該携帯端末装置は、他の端末からの着信を受信する無線部を有し、
他の端末からの着信時に、前記第２表示領域に着信メッセージを表示可能な、携帯端末装置。
【請求項１３】
請求項１０記載の携帯端末装置であって、
当該携帯端末装置は、バッテリの電圧低下を検知するバッテリ電圧検出部を有し、
バッテリの電圧低下時に、前記第２表示領域に充電メッセージを表示可能な、携帯端末装置。
【発明の詳細な説明】
【技術分野】
【０００１】  本発明は、液晶表示装置及び当該液晶表示装置を備える携帯端末装置に関する。
【背景技術】
【０００２】  昨今、ＬＥＤ等の使用や、他のバックライト構成部材の進化により、液晶表示装置に用いられるバックライトのより高輝度化が可能となってきている。一方で、携帯電話用カラー液晶の高精細化および高色純度化がますます進む方向にある。高精細化および高色純度化により液晶の透過率が低下することは明らかであり、高輝度バックライトが望まれる大きな要因ともなっている（特開平１１−１６７１１２号公報、特開平１１−２０２２８２号公報及び特開２００３−９１２６９号公報等参照）。
【発明の開示】
【発明が解決しようとする課題】
【０００３】  バックライトの高輝度化のため、液晶表面輝度を従来より下げることなく、高精細化および高純度化を実現することが可能となっている。携帯端末装置のような、スペース的、電源容量的に制約がある装置に液晶表示装置を搭載する場合、このようなバックライトをより有効利用することが望まれる。【０００４】  本発明は、上述した如きバックライトをより有効かつ効果的に利用し得る液晶表示装置及び当該液晶表示装置を備える携帯端末装置を提供する。
【課題を解決するための手段】
【０００５】  本発明の液晶表示装置は、カラー表示を行う第１表示領域と、白黒表示を行う第２表示領域とを含み、両領域が一体になって形成された液晶パネルと、前記第１表示領域と前記第２表示領域の表示動作を制御する表示制御部と、を備える。【０００６】  上述のような構成を採用することにより、バックライトの光を有効利用し、液晶表示装置の小型化を図るとともに、バッテリをより有効に利用することが可能となる。また、第２表示部を第１表示部とは異なる表示に用いることができ、バックライトの光を有効なライティングとして使用することも容易となる。【０００７】  上述の構成において、前記第１表示領域は、カラーフィルタ及びブラックマトリクスを含み、前記第２表示領域は、前記カラーフィルタ及び前記ブラックマトリクスを含まないような、液晶パネルを構成することができる。【０００８】  カラーフィルタ及びブラックマトリクスを削除することにより、第２表示領域においては、バックライトの光を有効利用することが可能となる。【０００９】  前記カラーフィルタ及び前記ブラックマトリックス以外の他の構成要素を、前記第１表示領域と前記第２表示領域の間で共通に使用することができる。この構成により、簡易に第１表示領域と第２表示領域を形成することができる。【００１０】  また、本発明の液晶表示装置は、第１のカラーフィルタを備える第１表示領域と、色濃度が前記第１のカラーフィルタよりも小さい第２のカラーフィルタを備える第２表示領域とを含み、両領域が一体になって形成された液晶パネルと、前記第１表示領域と前記第２表示領域の表示動作を制御する表示制御部とを備える。この液晶表示装置も、前述の装置と同等の効果を奏する。そして、前記第１のカラーフィルタ及び前記第２のカラーフィルタ以外の他の構成要素を、前記第１表示領域と前記第２表示領域の間で共通に使用することができる。【００１１】  前記液晶パネルは、前記第１表示領域と前記第２表示領域にわたって形成されたＴＦＴを含み得る。この場合、前記表示制御部が、前記ＴＦＴにおける、前記第２表示領域に対応した部分のみを独立して制御することができるように、液晶表示装置を構成することができる。【００１２】  上述の構成により、第１表示領域と第２表示領域を互いに独立して駆動することが可能となり、バッテリの有効利用等を図ることが可能となる。【００１３】  前記第１の表示領域における１画素のサイズと、前記第２の表示領域における１画素のサイズが異なるように、液晶表示装置を構成することができる。【００１４】  上述の構成により、第２の表示領域における表示精細度の向上や、光の利用率の向上等を図ることができる。【００１５】  また、前記第２表示領域を、前記液晶パネルの周縁の少なくとも一部に形成することができる。【００１６】  上述の構成により、簡易に第１表示領域と第２表示領域を形成することができる。【００１７】  上述した液晶表示装置を、携帯端末装置に適用することができる。この場合、前記第２表示領域に、外部から取得した参照情報や、着信メッセージや、充電メッセージを表示することができる。
【発明の効果】
【００１８】  本発明の液晶表示装置を使用することにより、バックライトの光を有効利用し、液晶表示装置の小型化を図るとともに、バッテリをより有効に利用することが可能となる。
【図面の簡単な説明】
【００１９】
【図１】液晶パネルの部分断面図。
【図２】１画素の大きさを比較する図であり、（ａ）はＲＧＢの三つのサブ画素により１画素を形成するカラー表示の例であり、（ｂ）は、白黒表示領域において１画素を１／９に縮小した例。
【図３】図２（ａ）の１画素を白黒表示領域でそのまま使用した場合の１画素を示す図。
【図４】図２（ａ）の１画素を白黒表示領域で４倍に拡大した場合の１画素を示す図。
【図５】第１表示領域と第２表示領域を備える液晶パネルの１例の平面図。
【図６】第２表示領域の配置及び形状の例であり、（ａ）は、パネルの上端、図２（ｂ）はパネルの下端に、第２表示領域を形成した例。
【図７】第２表示領域の配置及び形状の例であり、（ａ）は、パネルの左右両端、（ｂ）はパネルの全周辺に、第２表示領域を形成した例。
【図８】第２表示領域の配置及び形状の例であり、（ａ）は、パネルの上端及び右端に、（ｂ）はパネルの下端及び左端に、第２表示領域を形成した例。
【図９】第２表示領域の配置及び形状の例であり、（ａ）は、パネルの上端及び左端に、（ｂ）はパネルの下端および右端に、第２表示領域を形成した例。
【図１０】携帯端末装置のブロック図。
【図１１】宣伝、ニュースの表示例。
【図１２】着信メッセージの表示例。
【図１３】充電を促すメッセージの表示例。
【図１４】液晶パネルの他の例の部分断面図。
【符号の説明】
【００２０】１    電源部
２    バッテリ
３    制御部
４    無線部
５    表示制御部
６    液晶パネル
７    バックライト制御部
８    バックライト
９    時計制御部
１０  音声処理部
１１  スピーカ
１２  マイク
１３  入力キー
１４  記憶装置
６１  偏光板
６２  ガラス基板
６３  カラーフィルタ
６４  ＴＦＴ
６５  共通電極
６６  配向膜
６７  ブラックマトリックス
６８  シール材
６９  液晶
【発明を実施するための最良の形態】
【００２１】  以下、本発明の実施形態を、図面を用いて説明する。【００２２】  図１は、本発明の液晶表示装置に適用される液晶パネル６の部分断面図を示す。この断面図では、液晶パネル６の左半分のみが記載されている。【００２３】  液晶パネル６は、パネル外側に配置された２枚の偏光板６１、対向する２枚のガラス基板６２、カラーフィルタ６３、ＴＦＴ（薄膜トランジスタ）６４、共通電極６５、配向膜６６、ブラックマトリックス（ブラックマスク）６７、シール材６８、二つのガラス基板６２とシール材６８により封止された液晶６９を備える。【００２４】  偏光板６１は、特定の偏光成分を透過または吸収するものである。ガラス基板６２は透明な基板であり、一般的に平坦性に優れる無アルカリガラスより構成される。カラーフィルタ６３は、赤緑青（ＲＧＢ）の三原色を持つ染料や顔料の入った樹脂膜より構成され、三原色の混合により種々の色を作り出すものである（カラー表示）。【００２５】  ＴＦＴ６４は液晶駆動用のスイッチング素子を構成し、透明電極およびメタル配線などにより構成される。ＴＦＴ６４はパネルにマトリックス状に配置されたゲート線とデータ線の各交点に配置され、ゲート線へのパルス電圧（走査信号）と、データ線からの信号電圧の印加により、ＴＦＴ６４がスイッチング素子として機能し、画素にかかる電圧を制御する。ＴＦＴ６４は、第１表示領域と第２表示領域にわたって形成されている。一方、共通（コモン）電極６５は、一般的にはＩＴＯ（Ｉｎｄｉｕｍ  Ｔｉｎ  Ｏｘｉｄｅ）の透明導電性薄膜より構成される電極である。【００２６】  配向膜６６は、液晶を配向させるための有機薄膜でポリイミド薄膜等より構成される。ブラックマトリックス（ブラックマスク）６７は、カラーフィルタの画素間に配置される遮光膜である。シール材６８は、ＴＦＴが形成されたガラス基板（ＴＦＴアレイ基板）と、カラーフィルタが貼られたガラス基板（カラーフィルタアレイ基板）を周辺で貼り合わせるための接着剤である。液晶６９は、ＴＦＴアレイ基板とカラーフィルタアレイ基板間に封止されている。【００２７】  通例、液晶パネルにおいては、画像が実際に表示される表示領域以外の非表示領域においては、通常、バックライトの光漏れを防ぐためにマスキングが施されている。このマスキングは、パネルの周辺部に配置されたブラックマトリックスにより達成される。【００２８】  本実施形態の液晶パネル６においては、この非表示領域に、光の透過、遮断を可能にする構成が施されることにより、文字表示等所定の表示、ライティングを可能にしている。更にこの非表示領域においては、カラーフィルタも削除することにより、通常の表示エリアよりも高い透過率を実現することが可能となる。【００２９】  図１では、具体的に上述の構成が示されている。カラーフィルタ６３の端部にはブラックマトリックス６７が隣接して配置されているが、ブラックマトリックス６７はパネルの端部、すなわちシール材６８まで延設されていない。この部分においては、カラーフィルタ６３も存在しないが、ＴＦＴ６４、共通電極６５は形成されており、偏光板６１も配置されているため、白黒表示（グレースケール表示）は可能である。したがって、液晶��ネル６は、図１に示すように、カラーフィルタが配置され、カラー表示を行う第１表示領域（メイン表示領域）と、白黒表示（グレースケール表示）行う第２表示領域（サブ表示領域）に分けられる。また、第１表示領域と第２表示領域のＴＦＴ６４を互いに独立して、オン・オフ制御することで、両領域を独立して表示制御することができる。カラーフィルタ６３とブラックマトリックス６７以外の他の構成要素は、両領域において共通に使用されていることが図１から理解できる。これにより、簡易に２つの領域を１つのパネル内に形成することができる。【００３０】  図１において、第１表示領域と第２表示領域は、物理的には一体になって単一の液晶パネル内に形成されている。【００３１】  そして、両領域の特性の違いに鑑み、第１の表示領域における１画素（１セル、１ドット）のサイズと、第２の表示領域における１画素のサイズを異ならせることができる。その例を、図２ないし図４を用いて説明する。【００３２】  通例カラーフィルタにおいては、ＲＧＢ各々に対応したサブ画素が形成され、ＲＧＢ三つのサブ画素の集まりにて、実際の画像を表示する１画素を構成する（図２（ａ））。しかしながら、第２表示領域は白黒表示のため、ＲＧＢの各サブ画素に対応する領域を、実際の画像表示の１画素として使用することができる。さらに、通例縦長の各サブ画素の縦方向サイズを各々１／３に縮小し、第１表示領域のＲＧＢ画面に比べ、理論上９倍の高精細化を達成することができる（１／３  ｘ  １／３）。つまり高精細のグレースケール表示を、第２表示領域にて実現できることになる（図２（ｂ））。【００３３】  一方、上述の様に、１画素に相当する領域を小さくせず、ＲＧＢカラー表示と同じドットピッチでグレースケール表示をする場合、ＲＧＢの三つのサブ画素の集まりに相当する領域を一つの画素として扱うこともできる（図３）。この場合、第２表示領域の精細度は、第１表示領域のものと同じになるが、第２表示領域においてはカラーフィルタが削除されているため、通常のＲＧＢカラー表示よりも高コントラスト、高輝度化することができ、視認性の高い表示が可能となる。【００３４】  更には、第２表示領域において、カラーフィルタを抜くのみならず、１画素に相当する領域を、第１表示領域の１画素（ＲＧＢの三つのサブ画素の集まり）よりも大きくすることで、より開口率を上げ透過率を向上させ、後部より透過するバックライト光の減衰を低減することができる（図４の例では１画素が４倍の大きさ）。この場合、第２表示領域を補助用ライトとして利用することも可能となる。また、個々の画素に電極を設けることにより白黒表示を制御することが可能となる。補助光として使用する場合に白表示を、使用しない場合に黒表示を行うことで必要に応じた補助光制御が可能となる。【００３５】  図５は、第１表示領域と第２表示領域を備える液晶パネルの一例の平面図である。図５の例では、通常表示（第１表示領域）の周囲４辺の領域でカラーフィルタを抜き、第２表示領域を各辺に対応したサブ領域の、ａ領域（ａ１領域及びａ２領域）、ｂ領域、ｃ領域、ｄ領域）に分け、更に各サブ領域独立に電極を設けることにより、各辺独立して点灯・非点灯を行うことが���きる。この構成を着信用の報知機能等として利用できる。また、ａ１領域及びａ２領域のように、１辺を更に数分割し、電極を設けることも可能であり、これを順に点灯を繰り返すことによりイリュミネーション効果を持たすことが可能となり、より効果的な報知機能として利用できる。【００３６】  図６から図９は、携帯端末装置における第２表示領域の存在位置と形状の種々の変形例を、太斜線により模式的に示している。これらの例では、第２表示領域は、液晶パネル６の周縁の少なくとも一部に形成されている。図６（ａ）は、パネルの上端において、図６（ｂ）はパネルの下端において、第２表示領域が形成されている。図７（ａ）は、パネルの左右両端において、図７（ｂ）はパネルの全周辺にて、第２表示領域が形成されており、図５の例と同じである。図８（ａ）は、パネルの上端及び右端において、図８（ｂ）はパネルの下端及び左端にて、第２表示領域が形成されている。図９（ａ）は、パネルの上端および左端において、図９（ｂ）はパネルの下端および右端にて、第２表示領域が形成されている。【００３７】  図１０は、本発明の液晶表示装置を含む携帯端末装置、特に携帯電話の全体ブロック図を示す。携帯端末装置は、電源部１、バッテリ２、制御部３、無線部４、表示制御部５、液晶パネル６（図１）、バックライト制御部（昇圧回路部）７、バックライト８、時計制御部９、音声処理部１０、スピーカ１１、マイク１２、入力キー１３、記憶装置１４を備える。【００３８】  そして、液晶パネル６と表示制御部５より、液晶表示装置が構成される。また、液晶パネル６と表示制御部５に加え、バックライト制御部７とバックライト８より構成されるバックライトユニットを加えた構成を、液晶表示装置と定義することもできる。【００３９】  電源部１は、携帯端末装置の電源のオン・オフを制御するものであり、バッテリ２の残存容量を検出するバッテリ電圧検出部１ａを含む。バッテリ２は通常２、３本の電池バー（セル）より構成されている。【００４０】  制御部３は、携帯端末装置全体の制御を行うものであり、所定のプログラムやデータ等に従って各部を制御したり、各種演算処理を実行するＣＰＵ、プログラム、データ等を一時的に保存するＲＡＭ、所定のプログラム等を蓄積するＲＯＭ等を含む。【００４１】  無線部４は、アンテナを介して、電波の送受信を行うものであり、種々の無線回路、整合回路等により構成される。相手側端末の着信を受けるのみならず、後述する参照情報をも受信する。【００４２】  表示制御部５は、制御部３からの指令を受け、液晶パネル６の駆動制御を行うものであり、いわゆる液晶ドライバー（液晶駆動用ＬＳＩ）である。液晶パネル６は、図１に示した構成を有し、所定の画像を表示する。上述した通り、表示制御部５は、液晶パネル６内の第１表示領域と第２表示領域のＴＦＴ６４を互いに独立して、オン・オフ制御することで、両領域を独立して表示制御することができる。従って、表示制御部５は、液晶パネル６のＴＦＴ６４における、第２表示領域に対応した部分のみを独立して制御することが可能である（いわゆるパーシャル駆動）。【００４３】  バックライト制御部７は、バックライトの輝度、点灯領域等を制御する昇圧回路より構成される。バックライト８は導光板、光源としてのＬＥＤを含み、通常、液晶パネル６の背後に配置されている。光源にはＬＥＤではなく、通常のバルブを使用することもできる。また、必要に応じて、反射板、プリズムシート、拡散板等が組み込まれる。【００４４】  時計制御部９は、携帯端末装置に組み込まれた時計の駆動、タイマーの制御等を行う。音声処理部１０は、受信波や所定の機能に基づく指令を制御部３から受け、スピーカ１１から出力するための音声情報に変換し、また、マイク１２を介して拾われた外部の音声情報を、制御部３に出力するための所定の信号に変換する。入力キー１３は、十字キー、テンキー等、携帯端末装置の筐体に形成された種々のキーより構成される。記憶装置１４は、不揮発性メモリ、小型ＨＤＤ等により構成され、住所録等のデータを記憶している。【００４５】  上述の構成下においては、宣伝、ニュース等の表示、着信時のメッセージ表示、充電を促すメッセージ、充電中のメッセージ等の表示を、電流消費の少ない第２表示領域で行うことができる。すなわち、バックライトが低輝度時でも、精細度の高い、又は光透過率の高い第２表示領域を用いることにより、文字認識がより容易となる。従来のように、別に設けられたＬＥＤランプや、スピーカ等、電流を消費する他の要素を使用する必要がないため、電流消費を少なくすることができる。【００４６】  また、第２表示領域を最大輝度で点灯すればライティングとして使用することも可能となる。更に、通常の表示エリア（第１の表示領域）の画面レイアウトを変更することなく、宣伝、ニュース等を表示することができる。【００４７】  図１１は、宣伝、ニュース等の如き無線部を介して外部から得られる参照情報（ユーザが何らかの情報を得るために参照する情報）に対応した文字情報を表示する実施形態を示し、（ａ）は参照情報の表示態様を示し、（ｂ）は表示手順を示すフローチャートである。本実施形態では、カラーフィルタのない第２表示領域に、ニュース、宣伝等を文字情報の形式で表示する。この実施形態では、カラーフィルタがある部分（第１表示領域）のレイアウトを変更することなく、ニュース、宣伝等を表示できる。また、スクロール機能を利用すれば、少ない表示ドット数でも充分なメッセージを出すことが出来る。また、災害情報等、常時表示しておきたいメッセージがある時などでも、光を有効利用しうる第２表示領域を使用するため、低消費電力を維持することができる。動作手順は以下のとおりである。【００４８】  通常待ち受け動作中（ステップＳ１０１）において、入力キー１３を介して何らかのキー操作があったことが検知されると（ステップＳ１０２；Ｙｅｓ）、当該操作が宣伝・ニュース（参照情報）の受信設定であるか否かが判断される（ステップＳ１０３）。キー操作が検知されない場合（ステップＳ１０２；Ｎｏ）、キー操作が宣伝・ニュースの受信設定でない場合（ステップＳ１０３；Ｎｏ）は、再び待ち受け動作のモードに入る。【００４９】  キー操作が宣伝・ニュースの受信設定であると判断されると（ステップＳ１０３；Ｙｅｓ）、受信情報が、第２表示領域（サブ表示領域）で表示されるべき（サブ表示領域パーシャル駆動）か否かが判断される（ステップＳ１０４）。この判断は、受信情報に含まれる表示方法に関する情報（どのような表示態様を選択すべきか）に基づき行われる。【００５０】  宣伝・ニュース等が、第２表示領域に表示されるべきと判断された場合（ステップＳ１０４；Ｙｅｓ）、第２表示領域が表示領域として選択され（ステップＳ１０５）、バックライトが低輝度に設定される（ステップＳ１０６）。そして、無線部４を介して宣伝・ニュースの受信を開始し（ステップＳ１０７）、第２表示領域に受信情報が表示される（ステップＳ１０８）。【００５１】  一方、宣伝・ニュース等が第２表示領域に表示されるべきでないと判断された場合（ステップＳ１０４：Ｎｏ）、直接宣伝・ニュースの受信を開始し（ステップＳ１０９）、第１表示領域（メイン表示領域）に受信情報が表示される（ステップＳ１１０）。【００５２】  図１２は、着信時メッセージを表示する実施形態を示し、（ａ）は着信を示す着信メッセージの表示態様を示し、（ｂ）は表示手順を示すフローチャートである。通常の携帯電話とは異なり、本実施形態では、着信時に音、振動だけでなく、第２表示領域において着信メッセージの文字表示を行うことにより、着信を知らせる。動作手順は以下のとおりである。【００５３】  通常待ち受け動作中（ステップＳ２０１）において、着信があったことが検知されると（ステップＳ２０２）、バックライトが低輝度に設定され（ステップＳ２０３）、第２表示領域に着信メッセージが表示される（ステップＳ２０４）。【００５４】  図１３は、充電を促すメッセージや、充電中メッセージ等の如き充電メッセージを表示する実施形態を示し、（ａ）は充電メッセージの表示態様を示し、（ｂ）は表示手順を示すフローチャートである。本実施形態では、バッテリ電圧が低下した場合、バッテリを少しでも延命させるため、バッテリ電圧を検出し、第２表示領域を点滅させてユーザに知らせ、液晶パネルのモードを第２表示領域のみによる表示モード（サブ表示領域パーシャル駆動）に変更することが可能である（ＬＶＡ；Ｌｏｗ  Ｖｏｌｔａｇｅ  Ａｌａｒｍ）。さらに、バックライトの輝度が下げられる。動作手順は以下のとおりである。【００５５】  通常待ち受け動作中（ステップＳ３０１）において、バッテリ電圧検出部１ａを介して、バッテリ２の残りの電池バーが１本なったか否かが判断される（ステップＳ３０２）。残りの電池バーが１本になったと判断された場合（ステップＳ３０２；Ｙｅｓ）、バックライトの輝度が低輝度に設定される（ステップＳ３０３）。残りの電池バーが１本になったと判断されなかった場合（ステップＳ３０２；Ｎｏ）、再び待ち受け動作のモードに入る。【００５６】  バックライトの輝度が低輝度に設定された後、デフォルトに基づき、以後第１表示領域による表示が続行するか否かが判断される（ステップＳ３０４）。デフォルトの設定が、第２表示領域による表示への切換の場合（ステップＳ３０４；Ｙｅｓ）、第２表示領域による表示が開始され（ステップＳ３０５）、日時、電池バー等が第２表示領域に表示される（ステップＳ３０６）。そして、低電圧アラームが発せられ（ステップＳ３０７）、充電を促す旨のメッセージが、第２表示領域に表示される（ステップＳ３０８）。【００５７】  一方、デフォルトの設定が、第２表示領域による表示への切換でない場合（ステップＳ３０４；Ｎｏ）、第１表示領域による表示が続行され（ステップＳ３０９）、低電圧アラームが発せられ（ステップＳ３０７）、充電を促す旨のメッセージが、第２表示領域に表示される（ステップＳ３０８）。【００５８】  図１１から図１３の各モードにおいて、第２表示領域の点滅駆動を同時に行うこともできる。この場合、図５に示した第２表示領域の各サブ領域ごとに点滅モードを変えるようにすることもできる。【００５９】  また、本発明の液晶表示装置を用いて補助光を得ることができる。このような補助光は、自分自身に対する照明（自分照明）や、自分以外に対する照明（自分以外照明）に際しての補助光として使用され得る。【００６０】  自分照明の場合、暗い場所でのテレビ電話による通話や、カメラにより自分撮りをする際に有用な照明として使用され、別に照明装置を設けることが不要となる。また、暗い場所では、眩しくない程度にバックライトの輝度を落としても、カラーフィルタがないため、補助光としては充分輝度を確保できる。【００６１】  自分以外照明の場合、第１表示領域及び第２表示領域全体を、白色光により表示し、且つバックライトを高輝度に設定することにより、暗闇等での照明に使用する事ができる。光利用効率の高い第２表示領域のみを全点灯させてもよい。【００６２】  また、最低限必要と思われる、日時、時間、アンテナバー、電池バー、ピクト（絵文字）等を、第２表示領域に表示することもできる。この場合、バックライトを低輝度設定に変更しても、十分な認識が可能である。第１表示領域部分の表示をオフ即ち第２表示領域のみ表示をオン（パーシャル表示）およびバックライトをオフにすれば、更なる低消費電力を実現できる。【００６３】  図１４は、本発明に使用される液晶パネル６の他の例であり、第２表示領域の部分に、他のカラーフィルタ７０（第２のカラーフィルタ）が設けられ、さらにシール材６８に隣接して、ブラックマトリックス６７が設けられている。ただしこのカラーフィルタ７０は、第１表示領域におけるカラーフィルタ（第１のカラーフィルタ）６３よりも、ＲＧＢ各色の濃度が小さい。例えば、カラーフィルタ６３よりも顔料の分散濃度をより小さくすることにより、カラーフィルタ７０が得られる。【００６４】  カラーフィルタ７０が存在することにより、第２表示領域の表示は、白黒表示とはならず、カラー表示となる。しかしながら、カラーフィルタ７０は、その色濃度が小さいため、バックライトの光の透過率が、カラーフィルタ６３の透過率に比べ大きい。従って、第２表示領域による表示の際は、バックライトの輝度を下げることができ、結果的に低消費電力を達成することができる。すなわち、図１の液晶パネルと同様の方法で使用することができ、同様の効果を得ることができる。カラーフィルタ６３とカラーフィルタ７０は、一体のフィルム内に形成することもできるし、各々別フィルムにより形成することもできる。【００６５】  本発明の液晶表示装置は、小型の装置に組み込まれる際に、特にその効果を発揮するが、組み込み対象となる装置は携帯端末装置に限られず、他の装置にも組み込まれ得る。【００６６】  以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。【００６７】  本出願は、２００５年３月１６日出願の日本特許出願（特願２００５−０７４９６２）に基づくものであり、その内容はここに参照として取り込まれる。
【産業上の利用可能性】
【００６８】  本発明によれば、バッテリ、バックライトの光を有効利用し、小型化を容易に達成し得る液晶表示装置が提供される。
【図１】
2006098140.tif 000002
【図２】
2006098140.tif 000003
【図３】
2006098140.tif 000004
【図４】
2006098140.tif 000005
【図５】
2006098140.tif 000006
【図６】
2006098140.tif 000007
【図７】
2006098140.tif 000008
【図８】
2006098140.tif 000009
【図９】
2006098140.tif 000010
【図１０】
2006098140.tif 000011
【図１１】
2006098140.tif 000012
【図１２】
2006098140.tif 000013
【図１３】
2006098140.tif 000014
【図１４】
2006098140.tif 000015
【手続補正書】
【提出日】平成18年7月13日(2006.7.13)
【手続補正１】
【補正対象書類名】特許請求の範囲
【補正対象項目名】請求の範囲
【補正方法】変更
【補正の内容】
【書類名】請求の範囲
【請求項１】（補正後）
カラー表示を行う第１表示領域と、白黒表示を行うとともに補助光を取り出す第２表示領域とを含み、両領域が一体になって形成された液晶パネルと、
前記第１表示領域と前記第２表示領域の表示動作を制御する表示制御部と、
を備える液晶表示装置。
【請求項２】
請求項１記載の液晶表示装置であって、
前記第１表示領域は、カラーフィルタ及びブラックマトリクスを含み、
前記第２表示領域は、前記カラーフィルタ及び前記ブラックマトリクスを含まない、液晶表示装置。
【請求項３】（補正後）
請求項２記載の液晶表示装置であって、
前記カラーフィルタ及び前記ブラックマトリックス以外の他の構成要素が、前記第１表示領域と前記第２表示領域の間で共通に使用されている、液晶表示装置。
【請求項４】（補正後）
請求項１記載の液晶表示装置であって、
前記液晶パネルは、前記第１表示領域と前記第２表示領域にわたって形成されたＴＦＴを含む、液晶表示装置。
【請求項５】（補正後）
請求項４記載の液晶表示装置であって、
前記表示制御部が、前記ＴＦＴにおける、前記第２表示領域に対応した部分のみを独立して制御する、液晶表示装置。
【請求項６】（補正後）
請求項１記載の液晶表示装置であって、
前記第１の表示領域における１画素のサイズと、前記第２の表示領域における１画素のサイズが異なる、液晶表示装置。
【請求項７】（補正後）
請求項１記載の液晶表示装置であって、
前記第２表示領域が、前記液晶パネルの周縁の少なくとも一部に形成されている、液晶表示装置。
【請求項８】（補正後）
請求項１記載の液晶表示装置を含む携帯端末装置。
【請求項９】（補正後）
請求項８記載の携帯端末装置であって、
当該携帯端末装置は、外部から参照情報を取得する無線部を有し、
前記第２表示領域に取得した参照情報を表示可能な、携帯端末装置。
【請求項１０】（補正後）
請求項８記載の携帯端末装置であって、
当該携帯端末装置は、他の端末からの着信を受信する無線部を有し、
他の端末からの着信時に、前記第２表示領域に着信メッセージを表示可能な、携帯端末装置。
【請求項１１】（補正後）
請求項８記載の携帯端末装置であって、
当該携帯端末装置は、バッテリの電圧低下を検知するバッテリ電圧検出部を有し、
バッテリの電圧低下時に、前記第２表示領域に充電メッセージを表示可能な、携帯端末装置。
【請求項１２】（補正後）
第１のカラーフィルタを備える第１表示領域と、色濃度が前記第１のカラーフィルタよりも小さい第２のカラーフィルタを備えるとともに補助光を取り出す第２表示領域とを含み、両領域が一体になって形成された液晶パネルと、
前記第１表示領域と前記第２表示領域の表示動作を制御する表示制御部と、
を備える液晶表示装置。
【請求項１３】（補正後）
請求項１２記載の液晶表示装置であって、
前記第１のカラーフィルタ及び前記第２のカラーフィルタ以外の他の構成要素が、前記第１表示領域と前記第２表示領域の間で共通に使用されている、液晶表示装置。
【請求項１４】（追加）
請求項１２記載の液晶表示装置であって、
前記液晶パネルは、前記第１表示領域と前記第２表示領域にわたって形成されたＴＦＴを含む、液晶表示装置。
【請求項１５】（追加）
請求項１４記載の液晶表示装置であって、
前記表示制御部が、前記ＴＦＴにおける、前記第２表示領域に対応した部分のみを独立して制御する、液晶表示装置。
【請求項１６】（追加）
請求項１２記載の液晶表示装置であって、
前記第１の表示領域における１画素のサイズと、前記第２の表示領域における１画素のサイズが異なる、液晶表示装置。
【請求項１７】（追加）
請求項１２記載の液晶表示装置であって、
前記第２表示領域が、前記液晶パネルの周縁の少なくとも一部に形成されている、液晶表示装置。
【請求項１８】（追加）
請求項１２記載の液晶表示装置を含む携帯端末装置。
【請求項１９】（追加）
請求項１８記載の携帯端末装置であって、
当該携帯端末装置は、外部から参照情報を取得する無線部を有し、
前記第２表示領域に取得した参照情報を表示可能な、携帯端末装置。
【請求項２０】（追加）
請求項１８記載の携帯端末装置であって、
当該携帯端末装置は、他の端末からの着信を受信する無線部を有し、
他の端末からの着信時に、前記第２表示領域に着信メッセージを表示可能な、携帯端末装置。
【請求項２１】（追加）
請求項１８記載の携帯端末装置であって、
当該携帯端末装置は、バッテリの電圧低下を検知するバッテリ電圧検出部を有し、
バッテリの電圧低下時に、前記第２表示領域に充電メッセージを表示可能な、携帯端末装置。
２０
【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
カラー表示を行う第１表示領域と、白黒表示を行うとともに補助光を取り出す第２表示領域とを含み、両領域が一体になって形成された液晶パネルと、
前記第１表示領域と前記第２表示領域の表示動作を制御する表示制御部と、
を備える液晶表示装置。
【請求項２】
請求項１記載の液晶表示装置であって、
前記第１表示領域は、カラーフィルタ及びブラックマトリクスを含み、
前記第２表示領域は、前記カラーフィルタ及び前記ブラックマトリクスを含まない、液晶表示装置。
【請求項３】
請求項２記載の液晶表示装置であって、
前記カラーフィルタ及び前記ブラックマトリックス以外の他の構成要素が、前記第１表示領域と前記第２表示領域の間で共通に使用されている、液晶表示装置。
【請求項４】
請求項１記載の液晶表示装置であって、
前記液晶パネルは、前記第１表示領域と前記第２表示領域にわたって形成されたＴＦＴを含む、液晶表示装置。
【請求項５】
請求項４記載の液晶表示装置であって、
前記表示制御部が、前記ＴＦＴにおける、前記第２表示領域に対応した部分のみを独立して制御する、液晶表示装置。
【請求項６】
請求項１記載の液晶表示装置であって、
前記第１の表示領域における１画素のサイズと、前記第２の表示領域における１画素のサイズが異なる、液晶表示装置。
【請求項７】
請求項１記載の液晶表示装置であって、
前記第２表示領域が、前記液晶パネルの周縁の少なくとも一部に形成されている、液晶表示装置。
【請求項８】
請求項１記載の液晶表示装置を含む携帯端末装置。
【請求項９】
請求項８記載の携帯端末装置であって、
当該携帯端末装置は、外部から参照情報を取得する無線部を有し、
前記第２表示領域に取得した参照情報を表示可能な、携帯端末装置。
【請求項１０】
請求項８記載の携帯端末装置であって、
当該携帯端末装置は、他の端末からの着信を受信する無線部を有し、
他の端末からの着信時に、前記第２表示領域に着信メッセージを表示可能な、携帯端末装置。
【請求項１１】
請求項８記載の携帯端末装置であって、
当該携帯端末装置は、バッテリの電圧低下を検知するバッテリ電圧検出部を有し、
バッテリの電圧低下時に、前記第２表示領域に充電メッセージを表示可能な、携帯端末装置。
【請求項１２】
第１のカラーフィルタを備える第１表示領域と、色濃度が前記第１のカラーフィルタよりも小さい第２のカラーフィルタを備えるとともに補助光を取り出す第２表示領域とを含み、両領域が一体になって形成された液晶パネルと、
前記第１表示領域と前記第２表示領域の表示動作を制御する表示制御部と、
を備える液晶表示装置。
【請求項１３】
請求項１２記載の液晶表示装置であって、
前記第１のカラーフィルタ及び前記第２のカラーフィルタ以外の他の構成要素が、前記第１表示領域と前記第２表示領域の間で共通に使用されている、液晶表示装置。
【請求項１４】
請求項１２記載の液晶表示装置であって、
前記液晶パネルは、前記第１表示領域と前記第２表示領域にわたって形成されたＴＦＴを含む、液晶表示装置。
【請求項１５】
請求項１４記載の液晶表示装置であって、
前記表示制御部が、前記ＴＦＴにおける、前記第２表示領域に対応した部分のみを独立して制御する、液晶表示装置。
【請求項１６】
請求項１２記載の液晶表示装置であって、
前記第１の表示領域における１画素のサイズと、前記第２の表示領域における１画素のサイズが異なる、液晶表示装置。
【請求項１７】
請求項１２記載の液晶表示装置であって、
前記第２表示領域が、前記液晶パネルの周縁の少なくとも一部に形成されている、液晶表示装置。
【請求項１８】
請求項１２記載の液晶表示装置を含む携帯端末装置。
【請求項１９】
請求項１８記載の携帯端末装置であって、
当該携帯端末装置は、外部から参照情報を取得する無線部を有し、
前記第２表示領域に取得した参照情報を表示可能な、携帯端末装置。
【請求項２０】
請求項１８記載の携帯端末装置であって、
当該携帯端末装置は、他の端末からの着信を受信する無線部を有し、
他の端末からの着信時に、前記第２表示領域に着信メッセージを表示可能な、携帯端末装置。
【請求項２１】
請求項１８記載の携帯端末装置であって、
当該携帯端末装置は、バッテリの電圧低下を検知するバッテリ電圧検出部を有し、
バッテリの電圧低下時に、前記第２表示領域に充電メッセージを表示可能な、携帯端末装置。
【手続補正２】
【補正対象書類名】明細書
【補正対象項目名】全文
【補正方法】変更
【補正の内容】
【発明の詳細な説明】
【技術分野】
【０００１】
本発明は、液晶表示装置及び当該液晶表示装置を備える携帯端末装置に関する。
【背景技術】
【０００２】
昨今、ＬＥＤ等の使用や、他のバックライト構成部材の進化により、液晶表示装置に用いられるバックライトのより高輝度化が可能となってきている。一方で、携帯電話用カラー液晶の高精細化および高色純度化がますます進む方向にある。高精細化および高色純度化により液晶の透過率が低下することは明らかであり、高輝度バックライトが望まれる大きな要因ともなっている（特開平１１−１６７１１２号公報、特開平１１−２０２２８２号公報及び特開２００３−９１２６９号公報等参照）。
【発明の開示】
【発明が解決しようとする課題】
【０００３】
バックライトの高輝度化のため、液晶表面輝度を従来より下げることなく、高精細化および高純度化を実現することが可能となっている。携帯端末装置のような、スペース的、電源容量的に制約がある装置に液晶表示装置を搭載する場合、このようなバックライトをより有効利用することが望まれる。
【０００４】
本発明は、上述した如きバックライトをより有効かつ効果的に利用し得る液晶表示装置及び当該液晶表示装置を備える携帯端末装置を提供する。
【課題を解決するための手段】
【０００５】
本発明の液晶表示装置は、カラー表示を行う第１表示領域と、白黒表示を行う第２表示領域とを含み、両領域が一体になって形成された液晶パネルと、前記第１表示領域と前記第２表示領域の表示動作を制御する表示制御部と、を備える。
【０００６】
上述のような構成を採用することにより、バックライトの光を有効利用し、液晶表示装置の小型化を図るとともに、バッテリをより有効に利用することが可能となる。また、第２表示部を第１表示部とは異なる表示に用いることができ、バックライトの光を有効なライティングとして使用することも容易となる。
【０００７】
上述の構成において、前記第１表示領域は、カラーフィルタ及びブラックマトリクスを含み、前記第２表示領域は、前記カラーフィルタ及び前記ブラックマトリクスを含まないような、液晶パネルを構成することができる。
【０００８】
カラーフィルタ及びブラックマトリクスを削除することにより、第２表示領域においては、バックライトの光を有効利用することが可能となる。
【０００９】
前記カラーフィルタ及び前記ブラックマトリックス以外の他の構成要素を、前記第１表示領域と前記第２表示領域の間で共通に使用することができる。この構成により、簡易に第１表示領域と第２表示領域を形成することができる。
【００１０】
また、本発明の液晶表示装置は、第１のカラーフィルタを備える第１表示領域と、色濃度が前記第１のカラーフィルタよりも小さい第２のカラーフィルタを備える第２表示領域とを含み、両領域が一体になって形成された液晶パネルと、前記第１表示領域と前記第２表示領域の表示動作を制御する表示制御部とを備える。この液晶表示装置も、前述の装置と同等の効果を奏する。そして、前記第１のカラーフィルタ及び前記第２のカラーフィルタ以外の他の構成要素を、前記第１表示領域と前記第２表示領域の間で共通に使用することができる。
【００１１】
前記液晶パネルは、前記第１表示領域と前記第２表示領域にわたって形成されたＴＦＴを含み得る。この場合、前記表示制御部が、前記ＴＦＴにおける、前記第２表示領域に対応した部分のみを独立して制御することができるように、液晶表示装置を構成することができる。
【００１２】
上述の構成により、第１表示領域と第２表示領域を互いに独立して駆動することが可能となり、バッテリの有効利用等を図ることが可能となる。
【００１３】
前記第１の表示領域における１画素のサイズと、前記第２の表示領域における１画素のサイズが異なるように、液晶表示装置を構成することができる。
【００１４】
上述の構成により、第２の表示領域における表示精細度の向上や、光の利用率の向上等を図ることができる。
【００１５】
また、前記第２表示領域を、前記液晶パネルの周縁の少なくとも一部に形成することができる。
【００１６】
上述の構成により、簡易に第１表示領域と第２表示領域を形成することができる。
【００１７】
上述した液晶表示装置を、携帯端末装置に適用することができる。この場合、前記第２表示領域に、外部から取得した参照情報や、着信メッセージや、充電メッセージを表示することができる。
【発明の効果】
【００１８】
本発明の液晶表示装置を使用することにより、バックライトの光を有効利用し、液晶表示装置の小型化を図るとともに、バッテリをより有効に利用することが可能となる。
【発明を実施するための最良の形態】
【００１９】
以下、本発明の実施形態を、図面を用いて説明する。
【００２０】
図１は、本発明の液晶表示装置に適用される液晶パネル６の部分断面図を示す。この断面図では、液晶パネル６の左半分のみが記載されている。
【００２１】
液晶パネル６は、パネル外側に配置された２枚の偏光板６１、対向する２枚のガラス基板６２、カラーフィルタ６３、ＴＦＴ（薄膜トランジスタ）６４、共通電極６５、配向膜６６、ブラックマトリックス（ブラックマスク）６７、シール材６８、二つのガラス基板６２とシール材６８により封止された液晶６９を備える。
【００２２】
偏光板６１は、特定の偏光成分を透過または吸収するものである。ガラス基板６２は透明な基板であり、一般的に平坦性に優れる無アルカリガラスより構成される。カラーフィルタ６３は、赤緑青（ＲＧＢ）の三原色を持つ染料や顔料の入った樹脂膜より構成され、三原色の混合により種々の色を作り出すものである（カラー表示）。
【００２３】
ＴＦＴ６４は液晶駆動用のスイッチング素子を構成し、透明電極およびメタル配線などにより構成される。ＴＦＴ６４はパネルにマトリックス状に配置されたゲート線とデータ線の各交点に配置され、ゲート線へのパルス電圧（走査信号）と、データ線からの信号電圧の印加により、ＴＦＴ６４がスイッチング素子として機能し、画素にかかる電圧を制御する。ＴＦＴ６４は、第１表示領域と第２表示領域にわたって形成されている。一方、共通（コモン）電極６５は、一般的にはＩＴＯ（Indium Tin Oxide）の透明導電性薄膜より構成される電極である。
【００２４】
配向膜６６は、液晶を配向させるための有機薄膜でポリイミド薄膜等より構成される。ブラックマトリックス（ブラックマスク）６７は、カラーフィルタの画素間に配置される遮光膜である。シール材６８は、ＴＦＴが形成されたガラス基板（ＴＦＴアレイ基板）と、カラーフィルタが貼られたガラス基板（カラーフィルタアレイ基板）を周辺で貼り合わせるための接着剤である。液晶６９は、ＴＦＴアレイ基板とカラーフィルタアレイ基板間に封止されている。
【００２５】
通例、液晶パネルにおいては、画像が実際に表示される表示領域以外の非表示領域においては、通常、バックライトの光漏れを防ぐためにマスキングが施されている。このマスキングは、パネルの周辺部に配置されたブラックマトリックスにより達成される。
【００２６】
本実施形態の液晶パネル６においては、この非表示領域に、光の透過、遮断を可能にする構成が施されることにより、文字表示等所定の表示、ライティングを可能にしている。更にこの非表示領域においては、カラーフィルタも削除することにより、通常の表示エリアよりも高い透過率を実現することが可能となる。
【００２７】
図１では、具体的に上述の構成が示されている。カラーフィルタ６３の端部にはブラックマトリックス６７が隣接して配置されているが、ブラックマトリックス６７はパネルの端部、すなわちシール材６８まで延設されていない。この部分においては、カラーフィルタ６３も存在しないが、ＴＦＴ６４、共通電極６５は形成されており、偏光板６１も配置されているため、白黒表示（グレースケール表示）は可能である。したがって、液晶パネル６は、図１に示すように、カラーフィルタが配置され、カラー表示を行う第１表示領域（メイン表示領域）と、白黒表示（グレースケール表示）行う第２表示領域（サブ表示領域）に分けられる。また、第１表示領域と第２表示領域のＴＦＴ６４を互いに独立して、オン・オフ制御することで、両領域を独立して表示制御することができる。カラーフィルタ６３とブラックマトリックス６７以外の他の構成要素は、両領域において共通に使用されていることが図１から理解できる。これにより、簡易に２つの領域を１つのパネル内に形成することができる。
【００２８】
図１において、第１表示領域と第２表示領域は、物理的には一体になって単一の液晶パネル内に形成されている。
【００２９】
そして、両領域の特性の違いに鑑み、第１の表示領域における１画素（１セル、１ドット）のサイズと、第２の表示領域における１画素のサイズを異ならせることができる。その例を、図２ないし図４を用いて説明する。
【００３０】
通例カラーフィルタにおいては、ＲＧＢ各々に対応したサブ画素が形成され、ＲＧＢ三つのサブ画素の集まりにて、実際の画像を表示する１画素を構成する（図２（ａ））。しかしながら、第２表示領域は白黒表示のため、ＲＧＢの各サブ画素に対応する領域を、実際の画像表示の１画素として使用することができる。さらに、通例縦長の各サブ画素の縦方向サイズを各々１／３に縮小し、第１表示領域のＲＧＢ画面に比べ、理論上９倍の高精細化を達成することができる（１／３  ｘ  １／３）。つまり高精細のグレースケール表示を、第２表示領域にて実現できることになる（図２（ｂ））。
【００３１】
一方、上述の様に、１画素に相当する領域を小さくせず、ＲＧＢカラー表示と同じドットピッチでグレースケール表示をする場合、ＲＧＢの三つのサブ画素の集まりに相当する領域を一つの画素として扱うこともできる（図３）。この場合、第２表示領域の精細度は、第１表示領域のものと同じになるが、第２表示領域においてはカラーフィルタが削除されているため、通常のＲＧＢカラー表示よりも高コントラスト、高輝度化することができ、視認性の高い表示が可能となる。
【００３２】
更には、第２表示領域において、カラーフィルタを抜くのみならず、１画素に相当する領域を、第１表示領域の１画素（ＲＧＢの三つのサブ画素の集まり）よりも大きくすることで、より開口率を上げ透過率を向上させ、後部より透過するバックライト光の減衰を低減することができる（図４の例では１画素が４倍の大きさ）。この場合、第２表示領域を補助用ライトとして利用することも可能となる。また、個々の画素に電極を設けることにより白黒表示を制御することが可能となる。補助光として使用する場合に白表示を、使用しない場合に黒表示を行うことで必要に応じた補助光制御が可能となる。
【００３３】
図５は、第１表示領域と第２表示領域を備える液晶パネルの一例の平面図である。図５の例では、通常表示（第１表示領域）の周囲４辺の領域でカラーフィルタを抜き、第２表示領域を各辺に対応したサブ領域の、ａ領域（ａ１領域及びａ２領域）、ｂ領域、ｃ領域、ｄ領域）に分け、更に各サブ領域独立に電極を設けることにより、各辺独立して点灯・非点灯を行うことができる。この構成を着信用の報知機能等として利用できる。また、ａ１領域及びａ２領域のように、１辺を更に数分割し、電極を設けることも可能であり、これを順に点灯を繰り返すことによりイリュミネーション効果を持たすことが可能となり、より効果的な報知機能として利用できる。
【００３４】
図６から図９は、携帯端末装置における第２表示領域の存在位置と形状の種々の変形例を、太斜線により模式的に示している。これらの例では、第２表示領域は、液晶パネル６の周縁の少なくとも一部に形成されている。図６（ａ）は、パネルの上端において、図６（ｂ）はパネルの下端において、第２表示領域が形成されている。図７（ａ）は、パネルの左右両端において、図７（ｂ）はパネルの全周辺にて、第２表示領域が形成されており、図５の例と同じである。図８（ａ）は、パネルの上端及び右端において、図８（ｂ）はパネルの下端及び左端にて、第２表示領域が形成されている。図９（ａ）は、パネルの上端および左端において、図９（ｂ）はパネルの下端および右端にて、第２表示領域が形成されている。
【００３５】
図１０は、本発明の液晶表示装置を含む携帯端末装置、特に携帯電話の全体ブロック図を示す。携帯端末装置は、電源部１、バッテリ２、制御部３、無線部４、表示制御部５、液晶パネル６（図１）、バックライト制御部（昇圧回路部）７、バックライト８、時計制御部９、音声処理部１０、スピーカ１１、マイク１２、入力キー１３、記憶装置１４を備える。
【００３６】
そして、液晶パネル６と表示制御部５より、液晶表示装置が構成される。また、液晶パネル６と表示制御部５に加え、バックライト制御部７とバックライト８より構成されるバックライトユニットを加えた構成を、液晶表示装置と定義することもできる。
【００３７】
電源部１は、携帯端末装置の電源のオン・オフを制御するものであり、バッテリ２の残存容量を検出するバッテリ電圧検出部１ａを含む。バッテリ２は通常２、３本の電池バー（セル）より構成されている。
【００３８】
制御部３は、携帯端末装置全体の制御を行うものであり、所定のプログラムやデータ等に従って各部を制御したり、各種演算処理を実行するＣＰＵ、プログラム、データ等を一時的に保存するＲＡＭ、所定のプログラム等を蓄積するＲＯＭ等を含む。
【００３９】
無線部４は、アンテナを介して、電波の送受信を行うものであり、種々の無線回路、整合回路等により構成される。相手側端末の着信を受けるのみならず、後述する参照情報をも受信する。
【００４０】
表示制御部５は、制御部３からの指令を受け、液晶パネル６の駆動制御を行うものであり、いわゆる液晶ドライバー（液晶駆動用ＬＳＩ）である。液晶パネル６は、図１に示した構成を有し、所定の画像を表示する。上述した通り、表示制御部５は、液晶パネル６内の第１表示領域と第２表示領域のＴＦＴ６４を互いに独立して、オン・オフ制御することで、両領域を独立して表示制御することができる。従って、表示制御部５は、液晶パネル６のＴＦＴ６４における、第２表示領域に対応した部分のみを独立して制御することが可能である（いわゆるパーシャル駆動）。
【００４１】
バックライト制御部７は、バックライトの輝度、点灯領域等を制御する昇圧回路より構成される。バックライト８は導光板、光源としてのＬＥＤを含み、通常、液晶パネル６の背後に配置されている。光源にはＬＥＤではなく、通常のバルブを使用することもできる。また、必要に応じて、反射板、プリズムシート、拡散板等が組み込まれる。
【００４２】
時計制御部９は、携帯端末装置に組み込まれた時計の駆動、タイマーの制御等を行う。音声処理部１０は、受信波や所定の機能に基づく指令を制御部３から受け、スピーカ１１から出力するための音声情報に変換し、また、マイク１２を介して拾われた外部の音声情報を、制御部３に出力するための所定の信号に変換する。入力キー１３は、十字キー、テンキー等、携帯端末装置の筐体に形成された種々のキーより構成される。記憶装置１４は、不揮発性メモリ、小型ＨＤＤ等により構成され、住所録等のデータを記憶している。
【００４３】
上述の構成下においては、宣伝、ニュース等の表示、着信時のメッセージ表示、充電を促すメッセージ、充電中のメッセージ等の表示を、電流消費の少ない第２表示領域で行うことができる。すなわち、バックライトが低輝度時でも、精細度の高い、又は光透過率の高い第２表示領域を用いることにより、文字認識がより容易となる。従来のように、別に設けられたＬＥＤランプや、スピーカ等、電流を消費する他の要素を使用する必要がないため、電流消費を少なくすることができる。
【００４４】
また、第２表示領域を最大輝度で点灯すればライティングとして使用することも可能となる。更に、通常の表示エリア（第１の表示領域）の画面レイアウトを変更することなく、宣伝、ニュース等を表示することができる。
【００４５】
図１１は、宣伝、ニュース等の如き無線部を介して外部から得られる参照情報（ユーザが何らかの情報を得るために参照する情報）に対応した文字情報を表示する実施形態を示し、（ａ）は参照情報の表示態様を示し、（ｂ）は表示手順を示すフローチャートである。本実施形態では、カラーフィルタのない第２表示領域に、ニュース、宣伝等を文字情報の形式で表示する。この実施形態では、カラーフィルタがある部分（第１表示領域）のレイアウトを変更することなく、ニュース、宣伝等を表示できる。また、スクロール機能を利用すれば、少ない表示ドット数でも充分なメッセージを出すことが出来る。また、災害情報等、常時表示しておきたいメッセージがある時などでも、光を有効利用しうる第２表示領域を使用するため、低消費電力を維持することができる。動作手順は以下のとおりである。
【００４６】
通常待ち受け動作中（ステップＳ１０１）において、入力キー１３を介して何らかのキー操作があったことが検知されると（ステップＳ１０２；Ｙｅｓ）、当該操作が宣伝・ニュース（参照情報）の受信設定であるか否かが判断される（ステップＳ１０３）。キー操作が検知されない場合（ステップＳ１０２；Ｎｏ）、キー操作が宣伝・ニュースの受信設定でない場合（ステップＳ１０３；Ｎｏ）は、再び待ち受け動作のモードに入る。
【００４７】
キー操作が宣伝・ニュースの受信設定であると判断されると（ステップＳ１０３；Ｙｅｓ）、受信情報が、第２表示領域（サブ表示領域）で表示されるべき（サブ表示領域パーシャル駆動）か否かが判断される（ステップＳ１０４）。この判断は、受信情報に含まれる表示方法に関する情報（どのような表示態様を選択すべきか）に基づき行われる。
【００４８】
宣伝・ニュース等が、第２表示領域に表示されるべきと判断された場合（ステップＳ１０４；Ｙｅｓ）、第２表示領域が表示領域として選択され（ステップＳ１０５）、バックライトが低輝度に設定される（ステップＳ１０６）。そして、無線部４を介して宣伝・ニュースの受信を開始し（ステップＳ１０７）、第２表示領域に受信情報が表示される（ステップＳ１０８）。
【００４９】
一方、宣伝・ニュース等が第２表示領域に表示されるべきでないと判断された場合（ステップＳ１０４：Ｎｏ）、直接宣伝・ニュースの受信を開始し（ステップＳ１０９）、第１表示領域（メイン表示領域）に受信情報が表示される（ステップＳ１１０）。
【００５０】
図１２は、着信時メッセージを表示する実施形態を示し、（ａ）は着信を示す着信メッセージの表示態様を示し、（ｂ）は表示手順を示すフローチャートである。通常の携帯電話とは異なり、本実施形態では、着信時に音、振動だけでなく、第２表示領域において着信メッセージの文字表示を行うことにより、着信を知らせる。動作手順は以下のとおりである。
【００５１】
通常待ち受け動作中（ステップＳ２０１）において、着信があったことが検知されると（ステップＳ２０２）、バックライトが低輝度に設定され（ステップＳ２０３）、第２表示領域に着信メッセージが表示される（ステップＳ２０４）。
【００５２】
図１３は、充電を促すメッセージや、充電中メッセージ等の如き充電メッセージを表示する実施形態を示し、（ａ）は充電メッセージの表示態様を示し、（ｂ）は表示手順を示すフローチャートである。本実施形態では、バッテリ電圧が低下した場合、バッテリを少しでも延命させるため、バッテリ電圧を検出し、第２表示領域を点滅させてユーザに知らせ、液晶パネルのモードを第２表示領域のみによる表示モード（サブ表示領域パーシャル駆動）に変更することが可能である（ＬＶＡ；Low Voltage Alarm）。さらに、バックライトの輝度が下げられる。動作手順は以下のとおりである。
【００５３】
通常待ち受け動作中（ステップＳ３０１）において、バッテリ電圧検出部１ａを介して、バッテリ２の残りの電池バーが１本なったか否かが判断される（ステップＳ３０２）。残りの電池バーが１本になったと判断された場合（ステップＳ３０２；Ｙｅｓ）、バックライトの輝度が低輝度に設定される（ステップＳ３０３）。残りの電池バーが１本になったと判断されなかった場合（ステップＳ３０２；Ｎｏ）、再び待ち受け動作のモードに入る。
【００５４】
バックライトの輝度が低輝度に設定された後、デフォルトに基づき、以後第１表示領域による表示が続行するか否かが判断される（ステップＳ３０４）。デフォルトの設定が、第２表示領域による表示への切換の場合（ステップＳ３０４；Ｙｅｓ）、第２表示領域による表示が開始され（ステップＳ３０５）、日時、電池バー等が第２表示領域に表示される（ステップＳ３０６）。そして、低電圧アラームが発せられ（ステップＳ３０７）、充電を促す旨のメッセージが、第２表示領域に表示される（ステップＳ３０８）。
【００５５】
一方、デフォルトの設定が、第２表示領域による表示への切換でない場合（ステップＳ３０４；Ｎｏ）、第１表示領域による表示が続行され（ステップＳ３０９）、低電圧アラームが発せられ（ステップＳ３０７）、充電を促す旨のメッセージが、第２表示領域に表示される（ステップＳ３０８）。
【００５６】
図１１から図１３の各モードにおいて、第２表示領域の点滅駆動を同時に行うこともできる。この場合、図５に示した第２表示領域の各サブ領域ごとに点滅モードを変えるようにすることもできる。
【００５７】
また、本発明の液晶表示装置を用いて補助光を得ることができる。このような補助光は、自分自身に対する照明（自分照明）や、自分以外に対する照明（自分以外照明）に際しての補助光として使用され得る。
【００５８】
自分照明の場合、暗い場所でのテレビ電話による通話や、カメラにより自分撮りをする際に有用な照明として使用され、別に照明装置を設けることが不要となる。また、暗い場所では、眩しくない程度にバックライトの輝度を落としても、カラーフィルタがないため、補助光としては充分輝度を確保できる。
【００５９】
自分以外照明の場合、第１表示領域及び第２表示領域全体を、白色光により表示し、且つバックライトを高輝度に設定することにより、暗闇等での照明に使用する事ができる。光利用効率の高い第２表示領域のみを全点灯させてもよい。
【００６０】
また、最低限必要と思われる、日時、時間、アンテナバー、電池バー、ピクト（絵文字）等を、第２表示領域に表示することもできる。この場合、バックライトを低輝度設定に変更しても、十分な認識が可能である。第１表示領域部分の表示をオフ即ち第２表示領域のみ表示をオン（パーシャル表示）およびバックライトをオフにすれば、更なる低消費電力を実現できる。
【００６１】
図１４は、本発明に使用される液晶パネル６の他の例であり、第２表示領域の部分に、他のカラーフィルタ７０（第２のカラーフィルタ）が設けられ、さらにシール材６８に隣接して、ブラックマトリックス６７が設けられている。ただしこのカラーフィルタ７０は、第１表示領域におけるカラーフィルタ（第１のカラーフィルタ）６３よりも、ＲＧＢ各色の濃度が小さい。例えば、カラーフィルタ６３よりも顔料の分散濃度をより小さくすることにより、カラーフィルタ７０が得られる。
【００６２】
カラーフィルタ７０が存在することにより、第２表示領域の表示は、白黒表示とはならず、カラー表示となる。しかしながら、カラーフィルタ７０は、その色濃度が小さいため、バックライトの光の透過率が、カラーフィルタ６３の透過率に比べ大きい。従って、第２表示領域による表示の際は、バックライトの輝度を下げることができ、結果的に低消費電力を達成することができる。すなわち、図１の液晶パネルと同様の方法で使用することができ、同様の効果を得ることができる。カラーフィルタ６３とカラーフィルタ７０は、一体のフィルム内に形成することもできるし、各々別フィルムにより形成することもできる。
【００６３】
本発明の液晶表示装置は、小型の装置に組み込まれる際に、特にその効果を発揮するが、組み込み対象となる装置は携帯端末装置に限られず、他の装置にも組み込まれ得る。
【００６４】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【００６５】
本出願は、２００５年３月１６日出願の日本特許出願（特願２００５−０７４９６２）に基づくものであり、その内容はここに参照として取り込まれる。
【産業上の利用可能性】
【００６６】
本発明によれば、バッテリ、バックライトの光を有効利用し、小型化を容易に達成し得る液晶表示装置が提供される。
【図面の簡単な説明】
【００６７】
【図１】液晶パネルの部分断面図。
【図２】１画素の大きさを比較する図であり、（ａ）はＲＧＢの三つのサブ画素により１画素を形成するカラー表示の例であり、（ｂ）は、白黒表示領域において１画素を１／９に縮小した例。
【図３】図２（ａ）の１画素を白黒表示領域でそのまま使用した場合の１画素を示す図。
【図４】図２（ａ）の１画素を白黒表示領域で４倍に拡大した場合の１画素を示す図。
【図５】第１表示領域と第２表示領域を備える液晶パネルの１例の平面図。
【図６】第２表示領域の配置及び形状の例であり、（ａ）は、パネルの上端、図２（ｂ）はパネルの下端に、第２表示領域を形成した例。
【図７】第２表示領域の配置及び形状の例であり、（ａ）は、パネルの左右両端、（ｂ）はパネルの全周辺に、第２表示領域を形成した例。
【図８】第２表示領域の配置及び形状の例であり、（ａ）は、パネルの上端及び右端に、（ｂ）はパネルの下端及び左端に、第２表示領域を形成した例。
【図９】第２表示領域の配置及び形状の例であり、（ａ）は、パネルの上端及び左端に、（ｂ）はパネルの下端および右端に、第２表示領域を形成した例。
【図１０】携帯端末装置のブロック図。
【図１１】宣伝、ニュースの表示例。
【図１２】着信メッセージの表示例。
【図１３】充電を促すメッセージの表示例。
【図１４】液晶パネルの他の例の部分断面図。
【符号の説明】
【００６８】
１    電源部
２    バッテリ
３    制御部
４    無線部
５    表示制御部
６    液晶パネル  
７    バックライト制御部
８    バックライト
９    時計制御部
１０  音声処理部
１１  スピーカ
１２  マイク
１３  入力キー
１４  記憶装置
６１ 偏光板
６２ ガラス基板
６３ カラーフィルタ
６４ ＴＦＴ
６５ 共通電極
６６ 配向膜
６７ ブラックマトリックス
６８ シール材
６９ 液晶
【手続補正３】
【補正対象書類名】図面
【補正対象項目名】全図
【補正方法】変更
【補正の内容】
【図１】
2006098140.tif 000016
【図２】
2006098140.tif 000017
【図３】
2006098140.tif 000018
【図４】
2006098140.tif 000019
【図５】
2006098140.tif 000020
【図６】
2006098140.tif 000021
【図７】
2006098140.tif 000022
【図８】
2006098140.tif 000023
【図９】
2006098140.tif 000024
【図１０】
2006098140.tif 000025
【図１１】
2006098140.tif 000026
【図１２】
2006098140.tif 000027
【図１３】
2006098140.tif 000028
【図１４】
2006098140.tif 000029
【国際調査報告】
2006098140.tif 000030
2006098140.tif 000031
2006098140.tif 000032
2006098140.tif 000033
2006098140.tif 000034
2006098140.tif 000035
2006098140.tif 000036
2006098140.tif 000037